(57)【要約】【課題】省電力（節電）型のテレビジョン受像機において、節電効果を一層高める。【解決手段】テレビジョン受像機１の本体２の前面に、パッシブ赤外線感知器などの人感センサ７が、液晶ディスプレイ３の前方に感知領域を形成する形で回動自在に取り付けられている。人感センサ７が視聴者の不在を感知すると、即時に液晶ディスプレイ３の映像を消す。人感センサ７が視聴者の不在を感知してから消音遅延時間が経過した時点で、スピーカ５の音声を消す。この消音遅延時間は視聴者が自由に設定できる。これにより、視聴者が短時間だけ離席する場合に、視聴者に操作の手間を強いることなく省電力化を実現することができる。音声出力の停止により、映像出力の停止による省電力化と相俟って節電効果が一層高まる。【選択図】図１
2006253981.tif 000002
【特許請求の範囲】
【請求項１】
映像を出力する映像出力手段と、音声を出力する音声出力手段とを有する映像音声出力装置において、
視聴者の存否を感知する人感センサと、
前記人感センサが視聴者の不在を感知したとき、前記映像出力手段による映像出力および前記音声出力手段による音声出力を停止するように制御する省電力モード移行制御手段と
を備えていることを特徴とする映像音声出力装置。
【請求項２】
前記省電力モード移行制御手段は、
前記人感センサが視聴者の不在を感知すると同時に前記映像出力手段による映像出力を停止し、
前記人感センサが視聴者の不在を感知してから消音遅延時間が経過した時点で前記音声出力手段による音声出力を停止するように制御することを特徴とする請求項１に記載の映像音声出力装置。
【請求項３】
前記消音遅延時間の入力を受け付ける時間受付手段を備えていることを特徴とする請求項２に記載の映像音声出力装置。
【請求項４】
前記人感センサは、前記映像出力手段の前方に感知領域を形成していることを特徴とする請求項１乃至３のいずれかに記載の映像音声出力装置。
【請求項５】
前記人感センサは、回動自在に取り付けられていることを特徴とする請求項１乃至４のいずれかに記載の映像音声出力装置。
【発明の詳細な説明】
【技術分野】
【０００１】
本発明は、省電力（節電）型のテレビジョン受像機などの映像音声出力装置に関するものである。
【背景技術】
【０００２】
従来、この種の映像音声出力装置においては、視聴者がいなくなると、液晶ディスプレイのバックライトを減光または消灯することにより、省電力化を図っていた（例えば、特許文献１参照）。
【特許文献１】特開平８−２１１３６０号公報
【発明の開示】
【発明が解決しようとする課題】
【０００３】
しかし、これでは次のような不都合があった。
【０００４】
第１に、液晶ディスプレイのバックライトは、視聴者が液晶ディスプレイの前方から離席しても即時には減光されない。そのため、視聴者が短時間だけ離席する場合は、電源をつけたまま放置するか、いちいち電源を切るかのいずれかを選ばなければならない。前者では電力の無駄遣いとなり、後者では視聴者に操作の手間を強いる結果となる。
【０００５】
第２に、音声については、視聴者がいなくなっても音量調整されないので、節電効果が不十分である。
【０００６】
本発明は、こうした不都合を解消することが可能な映像音声出力装置を提供することを目的とする。
【課題を解決するための手段】
【０００７】
まず、請求項１に係る映像音声出力装置の発明は、映像を出力する映像出力手段と、音声を出力する音声出力手段とを有する映像音声出力装置において、視聴者の存否を感知する人感センサと、前記人感センサが視聴者の不在を感知したとき、前記映像出力手段による映像出力および前記音声出力手段による音声出力を停止するように制御する省電力モード移行制御手段とを備えていることを特徴とする。
また、請求項２に係る映像音声出力装置の発明は、前記省電力モード移行制御手段は、前記人感センサが視聴者の不在を感知すると同時に前記映像出力手段による映像出力を停止し、前記人感センサが視聴者の不在を感知してから消音遅延時間が経過した時点で前記音声出力手段による音声出力を停止するように制御することを特徴とする。
また、請求項３に係る映像音声出力装置の発明は、前記消音遅延時間の入力を受け付ける時間受付手段を備えていることを特徴とする。
また、請求項４に係る映像音声出力装置の発明は、前記人感センサは、前記映像出力手段の前方に感知領域を形成していることを特徴とする。
また、請求項５に係る映像音声出力装置の発明は、前記人感センサは、回動自在に取り付けられていることを特徴とする。
【発明の効果】
【０００８】
本発明によれば、視聴者が映像出力手段の前方から離席すると、即時に映像出力が停止するので、視聴者が短時間だけ離席する場合に、視聴者に操作の手間を強いることなく省電力化を実現することができる。
【０００９】
また、視聴者が映像出力手段の前方から離席すると、音声出力が停止することから、映像出力の停止による省電力化と相俟って節電効果を一層高めることができる。
【発明を実施するための最良の形態】
【００１０】
以下、本発明の実施形態を図面に基づいて説明する。
【００１１】
図１は本発明に係る映像音声出力装置の一実施形態であるテレビジョン受像機の使用状態を示す斜視図、図２は図１に示すテレビジョン受像機の制御ブロック図、図３は省電力化プログラムの一例を示すフローチャート、図４は省電力移行パターンの第１例を示すタイムチャート、図５は省電力移行パターンの第２例を示すタイムチャートである。
【００１２】
省電力型のテレビジョン受像機１は、図１に示すように、薄型パネル状の本体２を有しており、本体２の下側にはスタンド６が着脱自在に取り付けられている。また、本体２の前面には、液晶ディスプレイ３が装着されているとともに、左右一対のスピーカ５、５が液晶ディスプレイ３の下方に位置して取り付けられている。さらに、本体２の前面にはパッシブ赤外線感知器などの人感センサ７が、液晶ディスプレイ３の前方に感知領域（センサエリア）を形成する形で回動自在に取り付けられている。この人感センサ７は、感知領域に視聴者が存在すると、その視聴者から放出されている赤外線を感知してＯＮとなり、感知領域に視聴者が存在しないと、ＯＦＦとなる。
【００１３】
また、テレビジョン受像機１には、図２に示すように、マイコン（マイクロコンピュータ）などの主制御部１１が内蔵されており、主制御部１１には、電源回路１２、人感センサ７、リモコンなどの入力部１３、映像制御部１４、音声制御部１５が接続されている。さらに、映像制御部１４には液晶ディスプレイ３が接続されており、音声制御部１５にはスピーカ５が接続されている。
【００１４】
テレビジョン受像機１は以上のような構成を有するので、このテレビジョン受像機１を省電力モードで視聴する際には、次の手順による。
【００１５】
まず、視聴者は、自分の居場所などの状況に応じて人感センサ７を回動させて感知領域を適宜設定する。
【００１６】
次に、視聴者は、テレビジョン受像機１の電源スイッチ（図示せず）をＯＮにする。すると、電源回路１２を通じて主制御部１１に給電され、主制御部１１は、映像制御部１４に対して映像出力を指令すると同時に、音声制御部１５に対して音声出力を指令する。これを受けて、映像制御部１４は液晶ディスプレイ３に映像を出力し、音声制御部１５はスピーカ５から音声を出力する。このとき、視聴者は人感センサ７の感知領域にいるため、人感センサ７はＯＮとなっている。
【００１７】
次いで、視聴者は、液晶ディスプレイ３の前方から視聴者が離席してからスピーカ５による音声出力を停止するまでの時間、つまり消音遅延時間Ｔ１を入力部１３を介して入力する。この消音遅延時間Ｔ１は、例えば、最大設定時間を５分とし、その間を１分単位で設定できるようにする。すると、主制御部１１は、消音遅延時間Ｔ１の入力を受け付けた後、図３に示す省電力化プログラムＰＲＧに基づき、次に述べるとおり、各種の動作を順次実行する。
【００１８】
まず、主制御部１１は、人感センサ７のＯＮ／ＯＦＦ状態を常に監視する（省電力化プログラムＰＲＧのステップＳ１）。
【００１９】
そして、図４に示すように、人感センサ７がＯＮからＯＦＦに切り替わると、主制御部１１は、視聴者が液晶ディスプレイ３の前方から離席した可能性が高いと判断し、映像制御部１４に対して映像出力を即時停止するよう指令する。これを受けて映像制御部１４は、液晶ディスプレイ３を消灯して映像を消す（省電力化プログラムＰＲＧのステップＳ２）。
【００２０】
このように、視聴者が液晶ディスプレイ３の前方から離席すると、即時に液晶ディスプレイ３が消灯される。その結果、視聴者が短時間だけ離席する場合でも、視聴者に操作の手間を強いることなく省電力化を実現することができる。
【００２１】
なお、このとき、スピーカ５の音声は引き続き出力されているので、視聴者は、映像は見えなくとも、音声を聴くことはできる。
【００２２】
その後、主制御部１１は、人感センサ７のＯＮ／ＯＦＦ状態を常に監視する（省電力化プログラムＰＲＧのステップＳ３）。
【００２３】
そして、人感センサ７がＯＦＦのままである場合、主制御部１１は、人感センサ７がＯＦＦになってからの経過時間が消音遅延時間Ｔ１に達したか否かを判定する（省電力化プログラムＰＲＧのステップＳ４）。
【００２４】
この判定の結果、人感センサ７がＯＦＦになってからの経過時間が消音遅延時間Ｔ１に達した時点で、主制御部１１は、視聴者がスピーカ５の音声も届かない遠方に移動した可能性が高いと判断し、音声制御部１５に対して音声出力を停止するよう指令する。これを受けて音声制御部１５は、スピーカ５を消音して音声を消す（省電力化プログラムＰＲＧのステップＳ５）。
【００２５】
このように、視聴者がいなくなってから一定時間（消音遅延時間Ｔ１）が経過すれば、消音されるので、液晶ディスプレイ３の消灯による省電力化と相俟って節電効果が一層高くなる。
【００２６】
次いで、主制御部１１は、人感センサ７のＯＮ／ＯＦＦ状態を常に監視する（省電力化プログラムＰＲＧのステップＳ６）。
【００２７】
そして、人感センサ７がＯＦＦからＯＮに切り替わると、主制御部１１は、視聴者が液晶ディスプレイ３の前方に戻ってきて再度テレビジョン受像機１を視聴する可能性が高いと判断し、映像と音声を復帰させる（省電力化プログラムＰＲＧのステップＳ７）。すなわち、主制御部１１は、映像制御部１４に対して映像出力を再開するよう指令すると同時に、音声制御部１５に対して音声出力を再開するよう指令する。これを受けて、映像制御部１４は液晶ディスプレイ３に映像を出力し、音声制御部１５はスピーカ５から音声を出力する。
【００２８】
以上は、映像を消してから音声を消すまでの間に視聴者が戻って来なかった場合（つまり、図４に示すように、視聴者中座時間Ｔ２が消音遅延時間Ｔ１より長い場合）の省電力移行パターンである。
【００２９】
一方、映像を消してから音声を消すまでの間に視聴者が戻って来た場合（つまり、図５に示すように、視聴者中座時間Ｔ２が消音遅延時間Ｔ１より短い場合）は、人感センサ７がＯＦＦからＯＮに切り替わった時点で、主制御部１１は、視聴者が液晶ディスプレイ３の前方に戻ってきて再度テレビジョン受像機１を視聴する可能性が高いと判断し、映像を復帰させる（省電力化プログラムＰＲＧのステップＳ８）。すなわち、主制御部１１は、映像制御部１４に対して映像出力を再開するよう指令する。これを受けて、映像制御部１４は液晶ディスプレイ３に映像を出力する。
【００３０】
なお、消音遅延時間Ｔ１は視聴者が自分の生活様式に合わせて自由に設定できるので、テレビジョン受像機１は使い勝手に優れる。
【００３１】
また、人感センサ７は液晶ディスプレイ３の前方に感知領域を形成しているため、視聴者の存否を的確に感知することができる。
【００３２】
さらに、人感センサ７は回動自在に取り付けられているので、視聴者は自分の視聴場所に応じて感知領域を任意に変更することができる。この点でも、テレビジョン受像機１は使い勝手に優れる。
【００３３】
なお、上述の実施形態においては、感知領域に視聴者が存在するとＯＮとなり、感知領域に視聴者が存在しないとＯＦＦとなる人感センサ７を採用する場合について説明した。しかし、ＯＮ／ＯＦＦ状態が反転した人感センサ７、すなわち、感知領域に視聴者が存在するとＯＦＦとなり、感知領域に視聴者が存在しないとＯＮとなる人感センサ７を代用することも可能である。
【００３４】
なお、上述の実施形態においては、映像出力手段として液晶ディスプレイ３を用いるとともに、音声出力手段としてスピーカ５を用いたテレビジョン受像機１について説明した。しかし、液晶ディスプレイ３以外の映像出力手段（例えば、プラズマディスプレイパネル、ＣＲＴ、リアプロジェクションＴＶなど）を代用してもよい。また、スピーカ５以外の音声出力手段を代用しても構わない。
【００３５】
なお、上述の実施形態においては、映像音声出力装置としてテレビジョン受像機１を例示して説明したが、テレビジョン受像機１以外の映像音声出力装置に本発明を適用することも可能である。
【図面の簡単な説明】
【００３６】
【図１】本発明に係る映像音声出力装置の一実施形態であるテレビジョン受像機の使用状態を示す斜視図である。
【図２】図１に示すテレビジョン受像機の制御ブロック図である。
【図３】省電力化プログラムの一例を示すフローチャートである。
【図４】省電力移行パターンの第１例を示すタイムチャートである。
【図５】省電力移行パターンの第２例を示すタイムチャートである。
【符号の説明】
【００３７】
１……テレビジョン受像機（映像音声出力装置）
２……本体
３……液晶ディスプレイ（映像出力手段）
５……スピーカ（音声出力手段）
６……スタンド
７……人感センサ
１１……主制御部（省電力モード移行制御手段、時間受付手段）
１２……電源回路
１３……入力部（時間受付手段）
１４……映像制御部
１５……音声制御部
Ｔ１……消音遅延時間
Ｔ２……視聴者中座時間
【図１】
2006253981.tif 000003
【図２】
2006253981.tif 000004
【図３】
2006253981.tif 000005
【図４】
2006253981.tif 000006
【図５】
2006253981.tif 000007